(57)【特許請求の範囲】
【請求項１】
（ａ）ゲーム運営部がユーザの個人等級を登録する段階と、
（ｂ）前記ユーザのうち、守備側で投球球質が選択されて、投球情報がピッチングマシン部に転送される段階と、
（ｃ）前記ユーザのうち、攻撃側の打者がピッチングペダルを踏むと、スクリーンに投球動作がディスプレイされ、前記ピッチングマシン部が前記選択された球質により投球を開始する段階と、
（ｄ）打撃感知部が前記打者の打撃を感知して、打撃感知データを前記ゲーム運営部に転送する段階と、
（ｅ）前記ゲーム運営部が前記打撃感知データを与えられて、打球軌跡に変換し、前記打球軌跡によってシミュレーションして、前記スクリーンに映像をディスプレイする段階と、
（ｆ）競技撮影部が前記打者の打撃映像を撮影して、前記ゲーム運営部に転送する段階と、
（ｇ）オンライン通信部が前記ディスプレイされるシミュレーション情報及び前記打撃映像データを伝達されて、ゲームサーバ及びデータベースに転送する段階と、
（ｈ）前記データベースが前記打撃映像及び競技情報データを格納して、ユーザ育成プログラム及びキャラクタ育成プログラムに活用する段階と、
を含み、
前記（ｄ）段階は、
複数の前方感知センサが、球場のベース延長線と当接する位置、及び前記当接する位置の前方又は後方位置に配置されて、打球の座標データを検出する段階と、
複数の平面位置センサが左右の打席領域及び捕手領域に配置されて、非打撃ストライクボール及びファウルボールを検出する段階と、
カメラセンサがホームプレート領域に配置されて、前記打球軌跡の暗影部分を除去し、打撃点での打球運動方向の変更を検出する段階と、
をさらに含むことを特徴とするスクリーン野球システム競技方法。
【請求項２】
前記競技方法は、
（ｉ）前記守備側が地理的に離隔した地域の他のユーザの場合、前記ゲームサーバが前記ディスプレイされるシミュレーション情報及び前記打撃映像データを、前記守備側が位置した売り場に実時間で伝達して、オンラインで競技を進行させる段階をさらに含むことを特徴とする、請求項１に記載のスクリーン野球システム競技方法。
【請求項３】
前記（ａ）段階は、
ユーザの前記個人等級及び会員加入情報が格納された登録カードを発給する段階と、
前記登録カードを読み取るリーダ機により、前記個人等級を登録する段階と、
を更に含むことを特徴とする、請求項１に記載のスクリーン野球システム競技方法。
【請求項４】
前記（ａ）段階は、
携帯用端末機のアプリケーションを用いて、ユーザの前記個人等級及び会員加入情報を入力する段階と、
前記携帯用端末機の近距離通信機能により、前記アプリケーションに連動して前記個人等級を登録する段階と、
をさらに含むことを特徴とする、請求項１に記載のスクリーン野球システム競技方法。
【請求項５】
前記（ｂ）段階は、
前記攻撃側に前記投球情報が流出されないようにキーパッド又はジョイスティックで前記投球球質が選択されることを特徴とする、請求項１に記載のスクリーン野球システム競技方法。
【請求項６】
前記（ｃ）段階は、
前記投球情報が与えられて、予め設定されたプリセットを確認して生成された球質値又はピッチング入力部で入力される球質値と、打者情報として、ストライクゾーンに合う球質調整用データ及び姿勢調整用データを出力するピッチングデータ計算段階と、
前記球質調整用データを与えられて球質駆動部を制御して、ピッチングされる球質を調整する球質調整段階と、
前記姿勢調整用データを与えられて姿勢駆動部を制御して、投手の姿勢を調整する姿勢調整段階と、
をさらに含むことを特徴とする、請求項１に記載のスクリーン野球システム競技方法。
【請求項７】
前記（ｃ）段階は、
後方から前方に回転してボールを押し出す３つのホイールを備えたピッチングマシンにより、前記３つのホイールの回転速度によって、前記投球の球質が決定される段階をさらに含むことを特徴とする、請求項１に記載のスクリーン野球システム競技方法。
【請求項８】
前記（ｃ）段階は、
売り場毎に前記ピッチングマシンの回転数及び打席との距離が相違することを考えて、前記ピッチングマシン部の内部記憶装置に特定の球質に対する調整値を予め格納する段階をさらに含むことを特徴とする、請求項１に記載のスクリーン野球システム競技方法。
【請求項９】
前記（ｅ）段階は、
前記守備側により、打者の特性、走者状況、及び点数状況のいずれか１つ以上によって、守備位置が手動的に調節される段階と、
前記攻撃側により、走者状況及び点数状況のいずれか１つ以上によって、走者の動きが手動的に調節される段階と、
をさらに含むことを特徴とする、請求項１に記載のスクリーン野球システム競技方法。
【請求項１０】
前記（ｅ）段階は、
プロジェクタにより、前記スクリーンに選手の動きを表示する野球競技中継画面の映像をディスプレイする段階と、
打者控室に設置されたモニタに、競技進行に必要な情報をディスプレイする段階と、
補助プロジェクタにより、前記スクリーンに表示されない周辺映像を壁面にディスプレイする段階と、
をさらに含むことを特徴とする、請求項１に記載のスクリーン野球システム競技方法。
【請求項１１】
前記（ｅ）段階は、
前記ゲーム運営部が前記スクリーンと打席との間の距離によって、ピッチャーの形状を様々に調節する段階と、
暗幕で前記スクリーンの後面光が遮断され、前記スクリーンの前面に反射コーティングが追加される段階と、
をさらに含むことを特徴とする、請求項１に記載のスクリーン野球システム競技方法。
【請求項１２】
前記（ｆ）段階は、
カメラに内蔵されたストリーム送信部により、前記打者の打撃映像を転送する段階と、
前記ゲーム運営部に内蔵されたストリーム送信部により、前記打撃映像をスクリーン駆動部に伝達して、前記スクリーン上で再現させる段階と、
前記打撃映像を仮保管した後、必要によって、前記ストリーム送信部により前記データベースに転送して、前記ユーザ育成プログラム及びキャラクタ育成プログラムに活用する段階と、
をさらに含むことを特徴とする、請求項１に記載のスクリーン野球システム競技方法。
【請求項１３】
前記（ｇ）段階は、
有線通信、近距離通信網、及びインターネット網のいずれか１つを用いることを特徴とする、請求項１に記載のスクリーン野球システム競技方法。
【請求項１４】
前記（ｉ）段階は、
前記ゲームサーバが、ユーザ個人又はチーム単位の競技可能日程の入力を受ける段階と、
離隔した地域の前記他のユーザに前記競技可能日程を提供する段階と、
をさらに含むことを特徴とする、請求項２に記載のスクリーン野球システム競技方法。
【発明の詳細な説明】
【技術分野】
【０００１】
本発明はスクリーン野球システム競技方法に関し、特にユーザの水準差異や時空間的な制約無しで野球競技を多様に楽しむことができ、仮想の野球場空間で投球または打球によってボールが所定の軌跡に沿って現実的に移動可能であり、競技情報をユーザ育成プログラムに活用してユーザの競技力量を向上させることができるスクリーン野球システム競技方法に関する。
【背景技術】
【０００２】
一般に、野球は投手が投げたボールを捕手が受けて、打者がボールを打撃して得点する競技である。
【０００３】
打者が打撃練習をする時は一人がボールを投げれば、打者がボールを打撃するか、または野球のボールを周期的に発射するようになった野球打撃練習装置を用いて飛んでくるボールを打撃練習した。
【０００４】
または、ユーザが初心者、女性、または児童の場合、一定高さの支持台の上にボールが固定されているティーボールを用いてバットで打撃することもある。
【０００５】
このように、野球は所定の人員と比較的広い空間を必要とするため、一般人が野球競技を自由に楽しむには人的、時空間的な制約が存在する。
【０００６】
これを解決するために、従来にはピッチングマシンを備えるバッティングセンターが提供されることもあるが、このようなバッティングセンターの場合、球質の選択や多様な環境への対応が事実上不可能な限界があった。
【０００７】
また、打撃一辺倒のゲームが進行されるため、ストライクやアウトまたは点数の獲得のような実在感とおもしろさが格段に低下する問題点があった。
【０００８】
一方、最近にはボールを用いる室内スポーツの１つに、室内ゴルフ練習場は勿論、空間活用性を極大化したスクリーンゴルフ練習場が増加している趨勢である。
【０００９】
一般的なスクリーンゴルフシステムの場合、所定の映写装置がスクリーンの前面側で映像を投射して再現するものであって、打撃者は所定の位置にゴルフボールを固定して置いて、スクリーンに投影された仮想の空間に打撃を進行することによって、ゲームが進行される。
【００１０】
ところで、ゴルフの場合、打撃者が存在するだけでよく、打撃されるボールが停止してあるため、競技の進行や映像を通じてのイメージの具現に大きい問題がないが、野球の場合、仮想の野球場空間を形成し、かつ基本的に投手と打者が存在しなければならず、投球または打球によってボールが所定の軌跡に沿って現実的に移動されなければならないので、スクリーンゴルフシステムを野球に適用することには限界がある。
【００１１】
また、野球ゲームの場合、ストライクやボールの判定の要素が必要であり、多様な攻守の作戦のオプションや得点の計算方法が動的であるので、根本的なゲームの要素が相異するので、このようなスクリーンゴルフシステムの適用が事実上不可能な限界があった。
【先行技術文献】
【特許文献】
【００１２】
【特許文献１】ＫＲ２００７−０１１０５４４  Ａ１
【特許文献２】ＪＰ２００５−２０４９４７  Ａ１
【発明の概要】
【発明が解決しようとする課題】
【００１３】
本発明の目的は一般人が難無く投球の球質や多様な競技環境を選択することができ、打撃一辺倒のゲームから外れてストライクやボールの判定または攻守作戦のオプションや得点の計算方法を多様に調整することができ、地理的に互いに離隔した地域間の選手情報及び競技シミュレーションなどをオンラインでリアルタイムに共有できるだけでなく、競技中、打撃映像を格納してユーザ育成プログラム及びキャラクター育成プログラムに活用できるスクリーン野球システム競技方法を提供することにある。
【００１４】
本発明が解決しようとする課題は、以上で言及した課題に制限されず、言及されていない更に他の課題は以下の記載から通常の技術者に明確に理解されるべきである。
【課題を解決するための手段】
【００１５】
前記の目的を達成するための本発明のスクリーン野球システム競技方法は、（ａ）ゲーム運営部がユーザの個人等級を登録するステップ；（ｂ）前記ユーザのうち、守備側により投球球質が選択されて投球情報がピッチングマシン部に転送されるステップ；（ｃ）前記ユーザのうち、攻撃側の打者がピッチングペダルを踏めば、スクリーンに投球動作がディスプレイされ、前記ピッチングマシン部が前記選択された球質によって投球を始めるステップ；（ｄ）打撃感知部が前記打者の打撃を感知して打撃感知データを前記ゲーム運営部に転送するステップ；（ｅ）前記ゲーム運営部が前記打撃感知データの印加を受けて打球軌跡に変換し、前記打球軌跡に沿ってシミュレーションして前記スクリーンに映像をディスプレイするステップ；（ｆ）競技撮影部が前記打者の打撃映像を撮影して前記ゲーム運営部に転送するステップ；（ｇ）オンライン通信部が前記シミュレーション情報及び前記打撃映像データの伝達を受けてゲームサーバー及びデータベースに転送するステップ；及び（ｈ）前記データベースが前記シミュレーション情報及び打撃映像データを格納してユーザ育成プログラム及びキャラクター育成プログラムに活用するステップ；を含むことを特徴とする。
【００１６】
前記の目的を達成するための本発明のスクリーン野球システム競技方法は、（ｉ）前記守備側が地理的に離隔した地域の他のユーザの場合、前記ゲームサーバーが前記ディスプレイされるシミュレーション情報及び前記打撃映像データを前記守備側が位置した売り場にリアルタイム伝達してオンラインで競技を進行するようにするステップ；をさらに含むことを特徴とする。
【００１７】
前記の目的を達成するための本発明のスクリーン野球システム競技方法の前記（ａ）ステップは、ユーザの前記個人等級及び会員加入情報が格納された登録カードを発給するステップ；及び前記登録カードを読み取る読取機を通じて前記個人等級を登録するステップ；を含むことを特徴とする。
【００１８】
前記の目的を達成するための本発明のスクリーン野球システム競技方法の前記（ａ）ステップは、携帯用端末機のアプリケーションを用いてユーザの前記個人等級及び会員加入情報を入力するステップ；及び前記携帯用端末機の近距離通信機能を通じて前記アプリケーションと連動されて前記個人等級を登録するステップ；をさらに含むことを特徴とする。
【００１９】
前記の目的を達成するための本発明のスクリーン野球システム競技方法の前記（ｂ）ステップは、前記攻撃側に前記投球情報が流出されないようにキーパッドまたはジョイスティックを通じて前記投球球質が選択されることを特徴とする。
【００２０】
前記の目的を達成するための本発明のスクリーン野球システム競技方法の前記（ｃ）ステップは、前記投球情報の印加を受けて予め設定されたプリセットを確認して生成された球質値またはピッチング入力部に入力される球質値と打者情報にストライクゾーンに合う球質調整用データ及び姿勢調整用データを出力するピッチングデータ計算ステップ；前記球質調整用データの印加を受けて球質駆動部を制御してピッチングされる球質を調整する球質調整ステップ；及び前記姿勢調整用データの印加を受けて姿勢駆動部を制御して投手の姿勢を調整する姿勢調整ステップ；をさらに含むことを特徴とする。
【００２１】
前記の目的を達成するための本発明のスクリーン野球システム競技方法の前記（ｃ）ステップは、後方から前方に回転してボールを押し出す３個のホイールを備えたピッチングマシンを通じて前記３個のホイールの回転速度によって前記投球の球質が決定されるステップ；をさらに含むことを特徴とする。
【００２２】
前記の目的を達成するための本発明のスクリーン野球システム競技方法の前記（ｃ）ステップは、売り場毎に前記ピッチングマシンの回転数及び打席との相異することを考慮して、前記ピッチングマシン部の内部記憶装置に特定の球質に対する調整値を予め格納するステップ；をさらに含むことを特徴とする。
【００２３】
前記の目的を達成するための本発明のスクリーン野球システム競技方法の前記（ｄ）ステップは、複数個の前方感知センサーが球場のベース延長線と当接する位置及び前記当接する位置の前方または後方位置に配置されて打球の座標データを検出するステップ；複数個の平面位置センサーが左右打席領域及び捕手領域に配置されて非打撃ストライクボール及びファウルボールを検出するステップ；及びカメラセンサーがホームプレート領域に配置されて前記打球軌跡の暗影部分を除去し、打撃点での打球運動方向の変更を検出するステップ；をさらに含むことを特徴とする。
【００２４】
前記の目的を達成するための本発明のスクリーン野球システム競技方法の前記（ｅ）ステップは、前記守備側により打者の特性、走者状況、及び点数状況のうち、いずれか１つ以上によって守備位置が手動的に調節されるステップ；及び前記攻撃側により走者状況及び点数状況のうち、いずれか１つ以上によって走者の動きが手動的に調節されるステップ；をさらに含むことを特徴とする。
【００２５】
前記の目的を達成するための本発明のスクリーン野球システム競技方法の前記（ｅ）ステップは、プロジェクタを通じて前記スクリーンに選手の動きを見せる野球競技の中継画面映像をディスプレイするステップ；打者控室に設置されたモニターに競技進行に必要な情報をディスプレイするステップ；及び補助プロジェクタを通じて前記スクリーンに見られない周辺映像を壁面にディスプレイするステップ；をさらに含むことを特徴とする。
【００２６】
前記の目的を達成するための本発明のスクリーン野球システム競技方法の前記（ｅ）ステップは、前記ゲーム運営部が前記スクリーンと打席との間の距離によってピッチャーの形状を多様に調節するステップ；及び暗幕で前記スクリーンの後面光を遮断し、前記スクリーンの前表面に反射コーティングを追加するステップ；をさらに含むことを特徴とする。
【００２７】
前記の目的を達成するための本発明のスクリーン野球システム競技方法の前記（ｆ）ステップは、カメラに内蔵されたストリーム送信部を通じて前記打者の打撃映像を転送するステップ；前記ゲーム運営部に内蔵されたストリーム送信部を通じて前記打撃映像をスクリーン駆動部に伝達して前記スクリーン上に再現させるステップ；及び前記打撃映像を臨時保管した後、必要によって前記ストリーム送信部を通じて前記データベースに転送して前記ユーザ育成プログラム及びキャラクター育成プログラムに活用するステップ；をさらに含むことを特徴とする。
【００２８】
前記の目的を達成するための本発明のスクリーン野球システム競技方法の前記（ｇ）ステップは、有線通信、近距離通信網、及びインターネット網のうち、いずれか１つを用いることを特徴とする。
【００２９】
前記の目的を達成するための本発明のスクリーン野球システム競技方法の前記（ｉ）ステップは、前記ゲームサーバーがユーザ個人またはチーム単位の競技可能日程の入力を受けるステップ；及び離隔した地域の前記他のユーザに前記競技可能日程を提供するステップ；をさらに含むことを特徴とする。
【００３０】
その他の実施形態の具体的な事項は詳細な説明及び添付図面に含まれている。
【００３１】
本発明の利点及び／又は特徴、そしてそれらを達成する方法は、添付する図面と共に詳細に後述されている実施形態を参照すれば明確になる。しかしながら、本発明は以下に開示される実施形態に限定されるものでなく、互いに異なる多様な形態に具現され、単に、本実施形態は本発明の開示が完全になるようにし、本発明が属する技術分野で通常の知識を有する者に本発明の範疇を完全に知らせるために提供されるものである。
【発明の効果】
【００３２】
本発明による場合、一般人が難無く投球の球質や多様な競技環境を選択することができるので、ユーザの水準差の制約無しで野球競技を自由に楽しむことができる。
【００３３】
また、打撃一辺倒のゲームから外れてストライクやボールの判定または攻守作戦のオプションや得点の計算方法を多様に調整することができ、仮想の野球場空間で投球または打球によってボールが所定の軌跡に沿って現実的に移動可能であるので、実在感及び興味を向上させることができる。
【００３４】
また、地理的に互いに離隔した地域間の選手情報及び競技シミュレーションなどをオンラインで互いにリアルタイム共有するようになって、利用者が互いに異なる地域にいても競技が可能であるので、時空間的な制約無しで野球競技を多様に楽しむことができ、競技中、打撃映像のユーザ育成プログラム活用を通じてユーザの打撃姿勢補完により競技力量を向上させることができる。
【図面の簡単な説明】
【００３５】
【図１】本発明に係るスクリーン野球システム競技方法を具現するための野球システムに対する概略的な構成図である。
【図２】本発明に係るスクリーン野球システム競技方法の全般的な動作を示すフローチャートである。
【図３】図１に図示されたスクリーン野球システム内のピッチングマシン部１３０の動作を説明するための構成図である。
【図４】本発明に係るスクリーン野球システム競技方法内のピッチングステップ（Ｓ１３０）の部分動作を示すフローチャートである。
【図５】図１に図示されたスクリーン野球システム内の打撃感知部１５０の動作を説明するための構成図である。
【図６】本発明に係るスクリーン野球システム競技方法内の打撃感知ステップ（Ｓ１４０）の部分動作を示すフローチャートである。
【図７】図１に図示されたスクリーン野球システム内のスクリーン駆動部１７０の動作を説明するための構成図である。
【図８】本発明に係るスクリーン野球システム競技方法内のスクリーン駆動ステップ（Ｓ１５０）の部分動作を示すフローチャートである。
【図９】図１に図示されたスクリーン野球システム内の競技撮影部１６０の動作を説明するための構成図である。
【図１０】本発明に係るスクリーン野球システム競技方法内の競技撮影ステップ（Ｓ１６０）の部分動作を示すフローチャートである。
【発明を実施するための形態】
【００３６】
以下、添付した図面を参考しつつ本発明の好ましい実施形態に対して詳細に説明すると、次の通りである。
【００３７】
本明細書及び請求範囲に使われた用語や単語は通常的または辞典的な意味に限定されて解析されてはならず、発明者は自分の発明を最も最善の方法で説明するために用語の概念を適切に定義することができるという原則に即して本発明の技術的思想に符合する意味と概念として解析されなければならない。
【００３８】
明細書の全体で、ある部分がある構成要素を“含む”または“備える”とする時、これは特別に反対の記載がない限り、他の構成要素を除外するものでなく、他の構成要素をさらに包含または備えることができるということを意味する。
【００３９】
また、明細書に記載された“部”、“機”、“モジュール”、“装置”、“ステップ”などの用語は少なくとも１つの機能や動作を処理する単位を意味し、これはハードウェアやソフトウェアまたはハードウェア及びソフトウェアの結合により具現できる。
【００４０】
以下に説明される携帯用端末機は、インターネット通信などのコンピュータサポート機能が可能なスマートフォン（smart phone）、ＰＤＡ（Personal Digital Assistants）、ＰＭＰ（Portable Multimedia Player）、スマートパッド（smart pad）などを意味する。
【００４１】
図１は本発明に係るスクリーン野球システム競技方法を具現するための野球システムに対する概略的な構成図であって、複数個のスクリーン野球装置１００−１から１００−Ｎ、装置制御部２００、ゲームサーバー３００、及びデータベース４００を備える。
【００４２】
複数個のスクリーン野球装置１００−１から１００−Ｎの各々は、ゲーム運営部１１０、スクリーン１２０、ピッチングマシン部１３０、ボール供給部１４０、打撃感知部１５０、競技撮影部１６０、スクリーン駆動部１７０、及びオンライン通信部１８０を備える。
【００４３】
図１を参照して本発明のスクリーン野球システム競技方法を具現するための野球システムの各構成要素の機能を説明すると、次の通りである。
【００４４】
ゲーム運営部１１０は、ユーザの個人等級を登録し、打撃感知データの印加を受けて変換した打球の軌跡に沿ってシミュレーションし、スクリーン駆動部１７０を通じてスクリーン１２０に競技映像をディスプレイさせ、スクリーン１２０と打席との間の距離によってピッチャーの形状を多様に調節する。
【００４５】
ピッチングマシン部１３０は、ボール供給部１４０からボールの供給を受けて、ユーザのうち、守備側により投球球質が選択された投球情報によって自動または手動で投球する。
【００４６】
打撃感知部１５０は、複数個の前方感知センサー、複数個の平面位置センサー、及びカメラセンサーを備え、打球の座標データ、非打撃ストライクボール、及びファウルボールを検出し、打球軌跡の暗影部分を除去し、打撃点での打球運動方向の変更を検出する。
【００４７】
競技撮影部１６０は、ユーザの打撃映像を撮影してゲーム運営部１１０に転送する。
【００４８】
スクリーン駆動部１７０は競技撮影部１６０から撮影された打撃映像及びゲーム運営部１１０のシミュレーション映像の伝達を受けてスクリーン１２０上に再現させる。
【００４９】
オンライン通信部１８０は、スクリーン１２０にディスプレイされるシミュレーション情報及び打撃映像データをゲームサーバー３００及びデータベース４００に転送する。
【００５０】
装置制御部２００は売り場に備えられた複数個のスクリーン野球装置１００−１から１００−Ｎを統合モニタリング及び制御する。
【００５１】
ゲームサーバー３００は地理的に離隔した地域の他のユーザに前記ディスプレイされるシミュレーション情報及び前記打撃映像データをリアルタイムに伝達してオンラインで競技を進行するようにする。
【００５２】
データベース４００は、オンライン通信部１８０から打撃映像及び競技情報データの伝達を受けて格納してユーザ育成プログラム及びキャラクター育成プログラムに活用する。
【００５３】
図２は、本発明に係るスクリーン野球システム競技方法の全般的な動作を示すフローチャートである。
【００５４】
図１及び図２を参照して本発明に係るスクリーン野球システム競技方法の全般的な動作を説明すると、次の通りである。
【００５５】
まず、ゲーム運営部１１０はユーザの個人等級などを登録して競技を開設する（Ｓ１１０）。
【００５６】
打者が打席に入ると、ゲーム運営部１１０は登録されたユーザ情報から該当打者の個人等級などを確認する。
【００５７】
ユーザのうち、守備側の投球球質を選択するなどの守備基本動作を取れば、投球球質などに対する情報がピッチングマシン部１３０に送られる（Ｓ１２０）。
【００５８】
打者が打席に置かれたピッチングペダルを踏めば、スクリーン１２０に投球動作がディスプレイされ、選択された球質によって投球が始まる（Ｓ１３０）。
【００５９】
打者が打撃をすれば、打撃感知部１５０で打撃情報がゲーム運営部１１０に伝達され（Ｓ１４０）、該当打撃情報は弓の軌跡として解析され、該当解析に基づいてゲームシミュレーションがなされて、競技映像がスクリーン１２０に見られる（Ｓ１５０）。
【００６０】
この際、打者前方の左側または右側壁面の上部に設置される競技撮影部１６０がユーザの打撃映像を撮影してゲーム運営部１１０に転送する（Ｓ１６０）。
【００６１】
次の打者に対しても同一な過程がなされるようになり、競技は野球競技ルールに従って続けて進行される。
【００６２】
このような競技の進行はオンライン通信部１８０を通じてゲームサーバー３００及びデータベース４００に転送される（Ｓ１７０）。
【００６３】
また、データベース４００はゲーム運営部１１０から打撃映像及び競技情報データの伝達を受けて格納してユーザ育成プログラム及びキャラクター育成プログラムに活用する（Ｓ１８０）。
【００６４】
一方、競技相手側が地理的に離隔した地域の他のユーザの場合、ゲームサーバー３００が前記ディスプレイされるシミュレーション情報及び前記打撃映像データを相手側が位置した売り場にリアルタイム伝達してオンラインで競技を進行することができる（Ｓ１９０）。
【００６５】
例えば、複数のユーザが売り場（Ｃ）で１チームを組んで他のチームと対陣競技をしてみたいが、希望する相手チームが他の売り場（Ｄ）に位置する場合、ゲームサーバー３００は売り場（Ｃ）でディスプレイされるシミュレーション情報及び打撃映像データを売り場（Ｄ）のゲーム運営部のモニターまたはスクリーンにディスプレイして両チームがまるで１場所で競技するような効果を出すことができる。
【００６６】
図１及び図２を参照して本発明のスクリーン野球システム内のゲーム運営及び制御ステップの動作を説明すると、次の通りである。
【００６７】
ゲーム運営ステップの動作
ゲーム運営部１１０は個人用コンピュータ（ＰＣ）の形態であって、打席と隣接した所に位置し、キーボード、マウス、モニター、タッチスクリーンなどを備える。
【００６８】
ゲーム運営部１１０は、まず打撃をするユーザをチームを分けて登録し、それぞれの等級を適用してゲームに反映されるようにユーザ登録を行う。
【００６９】
この際、ユーザ登録を簡素化するためにユーザの個人等級及び会員加入情報が格納された別途の登録カード類（バーコード、ＲＦなど）を発給し、該当読取機を入力装置に取り付けることができる。
【００７０】
また、最近、普遍化されている携帯用端末機の使用に合せて携帯用端末機のアプリケーションを用いてユーザの前記個人等級及び会員加入情報を入力し、携帯用端末機の近距離通信機能を通じて前記アプリケーションを作動させて前記個人等級を登録することもできる。
【００７１】
ゲーム運営部１１０は、ピッチングマシン部１３０でピッチングされるボールの球質を守備側が選択することができるようにする。
【００７２】
この際、攻撃側への投球情報の流出を防止するために、別途のキーパッド形態の入力装置を備えることもできる。
【００７３】
一般に、野球ゲームは打者特性または走者状況及び点数状況によって守備位置を躍動的に変更するようになるが、ゲーム運営部１１０はこれを基本入力装置または別途のキーパッドなどを通じて選択できるようにする。
【００７４】
攻撃側は走者状況及び点数状況によって走者の動き（ランアンドヒット、ヒットアンドランなど）を異にするようになるが、これもまたユーザのゲーム参加度を高める重要要因の１つであるので、ゲーム運営部１１０は基本入力装置及び別途の入力装置に設定できるようにする。
【００７５】
前記にキーパッドまたは別途の入力装置として表現されたものは、少数のボタンからなるボタンセットなどを含むことは勿論、ジョイスティック類などのゲーム操作装置及び携帯用端末機に取り付けられたアプリケーションも含まれる。
【００７６】
打撃感知部１５０で検出された打撃データはボールの軌跡に変更され、該当ボールの軌跡とゲーム状況によって自動で守備過程がなされるように競技をシミュレーションする。
【００７７】
野球は記録の競技というほど競技要素の１つ１つが意味を有するので、現在の競技資料は後日また競技を行う時の重要な基本情報となる。
【００７８】
したがって、これを後述するデータベース４００に格納できる処理過程を有する。
【００７９】
また、その通信方法も有線のみに限定されたものでなく、スマートフォンなどで近距離通信網やインターネット網を用いたアプリの処理も含む。
【００８０】
ゲームサーバー及びデータベースの動作
ゲームサーバー３００は、個人及び所属チームの競技記録（勝率、打率など）を確認することができるようにする。
【００８１】
また、１場所で落ち合った状態での競技進行だけでなく、地理的に互いに離隔した地域間の選手情報及び競技シミュレーションなどをオンラインで互いにリアルタイム共有するようにして、利用者が互いに異なる地域にいても競技が可能であるようにする。
【００８２】
また、ゲームサーバー３００は個人またはチーム単位で自分の競技可能日程を入力するか、または他の人の競技可能日程を確認することができるようにして、相手があって野球場を訪ねて競技する時だけでなく、相手がない場合にも容易に相手を探して競技をすることができるように競技マッチングを制御する。
【００８３】
これは、特に１空間で互いに競技する時だけでなく、互いに異なる地域でオンライン競技をする時に一層便利である。
【００８４】
一方、ユーザの身体的有・不利により常に優劣が判断されれば、相手を忌避するようになるので、ゲームサーバー３００はこれを克服するために別途のユーザ育成プログラム及びキャラクター育成プログラムを構築して自分の競技シミュレーションに反映できるようにする。
【００８５】
前記の機能は特定の入出装置を通じてユーザに提供されるものでない、基本的にインターネットが連結されるだけで、ウェブ、アプリケーションなど、多様な形態に提供できる。
【００８６】
図３は図１に図示されたスクリーン野球システム内のピッチングマシン部１３０の動作を説明するための構成図であって、ゲーム運営部１１０、ピッチングマシン部１３０、及び装置制御部２００を備え、ピッチングマシン部１３０は、ピッチング入力部１３１、ピッチングデータ計算部１３２、球質調整部１３３、球質駆動部１３４、姿勢調整部１３５、姿勢駆動部１３６、ピッチング通信部１３７、及びピッチングマシン１３８を備える。
【００８７】
図４は、本発明に係るスクリーン野球システム競技方法内のピッチングステップ（Ｓ１３０）の部分動作を示すフローチャートである。
【００８８】
図１から図４を参照して本発明のスクリーン野球システム内のピッチングステップの動作を説明すると、次の通りである。
【００８９】
ピッチングステップの動作
図３Ａから見るように、ゲーム運営部１１０上で守備側の選択したピッチングされるボールの球質とゲーム運営部１１０に登録された攻撃側打者の個人等級、打者の身長などに対するピッチングデータを直列通信、ＬＡＮ、インターネットなどを介してピッチング入力部１３１に転送する。
【００９０】
ピッチングデータ計算部１３２は、ゲーム運営部１１０からピッチングデータの印加を受けて既に設定されたプリセット（preset）を確認した球質値またはピッチング入力部１３１から入力される球質値を生成し（Ｓ１３１）、前記球質値と打者情報を有してストライクゾーンに合う球質調整用データ及び姿勢調整用データを計算して出力する（Ｓ１３２）。
【００９１】
球質調整部１３３は、ピッチングデータ計算部１３２から球質調整用データの印加を受けて球質駆動部１３４を制御してピッチングなる球質を調整してピッチングマシン１３８をして入力されたピッチングデータに合うように投球を行うようにする（Ｓ１３３）。
【００９２】
姿勢調整部１３５は、ピッチングデータ計算部１３２から姿勢調整用データの印加を受けて姿勢駆動部１３６を制御してピッチングマシン１３８を調整して入力されたピッチングデータに合うように投球を行うようにする（Ｓ１３４）。
【００９３】
ピッチング入力部１３１、球質調整部１３３、及び姿勢調整部１３５には、キーパッド、調節ボリュームなどの別途の入力装置が備えられて、ゲーム運営部１１０で別途のピッチングデータ入力信号がないとか、またはピッチングマシン１３８が手動調整に設定された場合、ピッチングマシン１３８は特定パターンのボールを一律的に投球することもできる。
【００９４】
ピッチングマシン１３８の手動調整は、装置制御部２００がピッチング通信部１３７を通じて多数のピッチングマシン１３８を統合モニタリング及び制御することができる。
【００９５】
図３Ｂから見るように、ピッチングマシン１３８はホイール（wheel）形態であって、３個のホイール（Ａ、Ｂ、Ｃ）は後方から前方に回転してボールを押し出すようになり、３個のホイール（Ａ、Ｂ、Ｃ）の回転速度によってボールの球質が決定される。
【００９６】
即ち、３個のホイール（Ａ、Ｂ、Ｃ）の回転速度が等しければ、ストレート・ボール形態のボールを投球するようになるが、この際、ホイール（Ａ、Ｂ、Ｃ）の回転数に比例してボールの速度を決定するようになる。
【００９７】
ホイール（Ａ、Ｂ）の回転速度が等しい状態でホイール（Ｃ）の回転を調整するようになれば、ボールの落差が大きくなったり小さくなるフォークボール形態のボールを投球するようになる。
【００９８】
同様に、ホイール（Ａ、Ｂ）の回転速度を各々ホイール（Ｃ）の回転速度と等しくした状態でホイール（Ａ）とホイール（Ｂ）の回転数を各々調整すれば、左・右に曲がるカーブボール形態のボールを投球するようになる。
【００９９】
実在の売り場の運営では、ピッチングマシン１３８と打席との間の距離によってホイール（Ａ、Ｂ、Ｃ）の回転数が各々相異して球質によってこれを一々毎度調整することには困難性が多いので、ピッチングマシン部１３０は内部記憶装置（例えば、ＥＰＲＯＭ、ＲＡＭなど）に特定の球質に対する調整値を予め格納し、これを使用することが好ましい。
【０１００】
図５は図１に図示されたスクリーン野球システム内の打撃感知部１５０の動作を説明するための構成図であって、前方感知センサー１５１、平面位置センサー１５２、及びカメラセンサー１５３を備える。
【０１０１】
図６は、本発明に係るスクリーン野球システム競技方法内の打撃感知ステップ（Ｓ１４０）の部分動作を示すフローチャートである。
【０１０２】
図１から図６を参照して本発明のスクリーン野球システム内の打撃感知ステップの動作を説明すると、次の通りである。
【０１０３】
打撃感知ステップの動作
図５Ａから見るように、前方感知センサー１５１は打球の水平と垂直の座標データ検出が可能で、打球の軌道を読み取る（Ｓ１４１）ことができるが、設置位置によって打球軌道（Ｂ１）のみ感知可能であり、打球軌道（Ｂ２、Ｂ３、Ｂ４）は感知できない暗影地域が発生するようになる。
【０１０４】
したがって、これはボールを打ち損じたストライクボールと、前方感知センサー１５１を通過できなかった打撃（ファウルなど）間の区分を不可能にし、これは野球ゲームの現実性を低下させる要素として作用する。
【０１０５】
これを克服するために、本発明は図５Ｂから見るように、平面でボールの動きを感知できるように別途の平面位置センサー１５２（例えば、超音波センサーなど）を左右打席領域（Ａ１、Ａ２）及び捕手領域（Ａ３）に配置して打球軌道（Ｂ２、Ｂ３、Ｂ４）なども感知する（Ｓ１４２）。
【０１０６】
図５Ｃから見るように、通常、カメラセンサー１５３は打撃点と若干離隔した位置（Ａ）に置かれるようになるが、これもまた感知できない打球軌道（Ｂ２、Ｂ３、Ｂ４）の暗影部分をもたらすようになる。
【０１０７】
これを克服するために、本発明は図５Ｃから見るように、カメラセンサー１５３の位置を打撃点が観察できるホームプレート位置（Ｂ）に設定して打球軌道（Ｂ２、Ｂ３、Ｂ４）などの暗影部分を除去し、打撃点でのボールの運動方向の変更などを感知して後方ファウルチップなどが区分できるようにする（Ｓ１４３）。
【０１０８】
一般に、カメラセンサー１５３の使用はその感知能力に比例して費用が幾何級数的に上昇するので、本発明は打球の軌跡など、精密な判断は前方感知センサー１５１が担当し、打球軌道の暗影部分の除去はカメラセンサー１５３が担当するようにすることで、高価のカメラセンサー１５３の使用を最小限に維持するようになる。
【０１０９】
図５Ｄから見るように、前方感知センサー１５１は基本的に球場のベース延長線と当接するように位置（Ｓ１）に設置することが基本であるが、本システムの設置環境によって位置（Ｓ１）の後方位置（Ｓ２）または位置（Ｓ１）の前方位置（Ｓ３）にも設置できる。
【０１１０】
即ち、打席と前方感知センサー１５１との位置が近づくほど（Ｓ３）バットがセンサーを通過する確率が増加し、打席と前方感知センサー１５１との位置が遠ざかるほど（Ｓ２）壁に当たって跳ねたファウルボールの打球軌道（Ｂ５）とヒットボールの打球軌道（Ｂ６）のセンサー値が同一に測定される場合が増加する。
【０１１１】
このような限界を克服するために、本発明の打撃感知部１５０は、平面位置センサー１５２の配置とカメラセンサー１５３の位置調節を通じてバット認識などにより発生する誤謬データを除去し、壁、底、天井などに当たって跳ねたファウルボールの打球軌道（Ｂ５）をヒットボールの打球軌道（Ｂ６）と区分するようになる。
【０１１２】
前方感知センサー１５１、平面位置センサー１５２、及びカメラセンサー１５３で感知したデータを全て組み合わせて全体的な打球軌道を読み取る（Ｓ１４４）。
【０１１３】
図７は図１に図示されたスクリーン野球システム内のスクリーン駆動部１７０の動作を説明するための構成図であって、スクリーン１２０、モニター１７１、プロジェクタ１７２、及び補助プロジェクタ１７３を備える。
【０１１４】
図８は、本発明に係るスクリーン野球システム競技方法内のスクリーン駆動ステップ（Ｓ１５０）の部分動作を示すフローチャートである。
【０１１５】
図１から図８を参照して本発明のスクリーン野球システム内のスクリーン駆動ステップの動作を説明すると、次の通りである。
【０１１６】
スクリーン駆動ステップの動作
図７Ａから見るように、スクリーン１２０はピッチングマシン１３８の前方に位置し、モニター１７１はゲーム運営部１１０の運営用モニターと共用に使われれば、位置が限定的であることがあるので、別途のモニター１７１を打者控室に設置する。
【０１１７】
プロジェクタ１７２は、ピッチングマシン１３８と打席との距離によって打席の後方またはスクリーン１２０から前方に適当な距離（例えば、８ｍ）に位置する。
【０１１８】
スクリーン１２０とモニター１７１に同一内容をディスプレイすることもできるが、その機能を異にしてスクリーン１２０にはプロジェクタ１７２を通じて選手の動きを見せてくれる野球競技の中継画面に準する映像をディスプレイし（Ｓ１５１）、モニター１７１には競技進行に必要な情報（例えば、打者情報、打撃情報など）を集中的にディスプレイして（Ｓ１５２）、全体競技の没入度を高めることができる。
【０１１９】
図７Ｂから見るように、ピッチングマシン１３８と打席との間の距離が遠い場合、相対的にスクリーン１２０との距離も遠くなって打者が実際に見られる視野角が狭くなる問題点がある。
【０１２０】
これを克服するために、本発明は補助プロジェクタ１７３を追加設置してスクリーン１２０でない壁面にスクリーン１２０に見られない周辺映像をディスプレイすることで、打者の視野角を広げる（Ｓ１５３）。
【０１２１】
この際、壁面に周辺映像がディスプレイされることによって、透写距離に従う映像歪みが生じることがあるので、ゲーム運営部１１０は所定の映像歪み補正ソフトウェアを通じてこのような映像歪みを補正する。
【０１２２】
スクリーン１２０と打席との間の距離に関わらず、ピッチング時、同一な形状のピッチャーがピッチングモーションをすれば、打者は実際距離に従う現実感を感じることが難しいので、ゲーム運営部１１０はスクリーン１２０と打席との間の距離によってピッチングモーションが現実感あるように見えるようにピッチャーの形状を自由に調節する（Ｓ１５４）。
【０１２３】
図７Ｃから見るように、スクリーン１２０は一般的に白色の布を使用するが、スクリーン１２０の後面に明るい光がある場合、映像が鮮明でなくなる問題点がある。
【０１２４】
これを克服するために、本発明は暗幕１２１でスクリーン１２０の後面光を遮断し（Ｓ１５５）、より明るい画面を構成するためにスクリーン１２０の前表面に反射コーティング１２２を追加する（Ｓ１５６）。
【０１２５】
図９は図１に図示されたスクリーン野球システム内の競技撮影部１６０の動作を説明するための構成図であって、カメラ１６０、ゲーム運営部１１０、スクリーン１２０、スクリーン駆動部１７０、ゲームサーバー３００、及びデータベース４００を備える。
【０１２６】
図１０は、本発明に係るスクリーン野球システム競技方法内の競技撮影ステップ（Ｓ１６０）の部分動作を示すフローチャートである。
【０１２７】
図１から図１０を参照して本発明のスクリーン野球システム内の競技撮影ステップの動作を説明すると、次の通りである。
【０１２８】
競技撮影ステップの動作
図９Ａから見るように、カメラ１６０は打者の前方の左側または右側壁面の上部に設置されて打者の打撃映像を撮影する。
【０１２９】
図９Ｂから見るように、カメラ１６０はストリーム送信部１６２を内蔵し、撮影された打撃映像をゲーム運営部１１０に転送する（Ｓ１６１）。
【０１３０】
ゲーム運営部１１０は、内蔵されているストリーム受信部１１１を通じてストリーム送信部１６２から撮影された打撃映像をスクリーン駆動部１７０に伝達してスクリーン１２０上に再現させる（Ｓ１６２）。
【０１３１】
また、撮影された打撃映像のうち、特定の映像資料（例えば、良好な安打映像など）を臨時保管してからデータベース４００に転送及び格納して、今後、ユーザ育成プログラム及びキャラクター育成プログラムに活用することもできる（Ｓ１６３）。
【０１３２】
例えば、ユーザのうち、競技力量をより向上させるために打撃姿勢の確認を希望するユーザがある場合、ユーザ育成プログラムの多様な方法を通じて安打映像などの特定映像資料をオンラインで参考することもでき、スクリーンにディスプレイして参考することもできる。
【０１３３】
また、打撃映像と競技情報に従う打球分布を用いると、自分の打撃姿勢の長短所を容易に確認することもできる。
【０１３４】
また、ユーザが自分の打撃姿勢矯正や補完に対する直接的な個人レッスンを希望する場合、キャラクター育成プログラムにより売り場の斡旋で前職または現職選手からオフラインで直接レッスンを受けるように連結してくれることによって、ユーザの身体的な優劣の差によるゲーム対陣忌避現象を防止することもできる。
【０１３５】
このように、本発明のスクリーン野球システム競技方法は、一般人が難無く投球の球質や多様な競技環境を選択することができるので、ユーザの水準差の制約無しで野球競技を自由に楽しむことができる。
【０１３６】
また、打撃一辺倒のゲームから外れてストライクやボールの判定または攻守作戦のオプションや得点の計算方法を多様に調整することができ、仮想の野球場空間で投球または打球によってボールが所定の軌跡に沿って現実的に移動可能であるので、実在感と興味を向上させることができる。
【０１３７】
また、地理的に互いに離隔した地域間の選手情報及び競技シミュレーションなどをオンラインで互いにリアルタイム共有するようにし、利用者が互いに異なる地域にいても競技が可能であるので、時空間的な制約無しで野球競技を多様に楽しむことができ、競技中、打撃映像と競技情報のユーザ育成プログラムの活用を通じてユーザの打撃姿勢補完により競技力量を向上させることができるようになる。
【０１３８】
以上、一部の実施形態を挙げて本発明の好ましい実施形態に対して説明したが、このような説明は例示的なものに過ぎないものであって、如何なる意味でもこれによって本発明が制限されることと解析されることはできず、本発明が属する技術分野で通常の知識を有する者であれば、以上の説明から本発明を多様に変形、修正、または置換して実施するか、または本発明と均等な実施を行なうことができるという点をよく理解することができる。
【符号の説明】
【０１３９】
１００−１から１００−Ｎ    複数個のスクリーン野球装置
１１０    ゲーム運営部
１２０    スクリーン
１３０    ピッチングマシン部
１４０    ボール供給部
１５０    打撃感知部
１６０    競技撮影部
１７０    スクリーン駆動部
１８０    オンライン通信部
２００    装置制御部
３００    ゲームサーバー
４００    データベース
【要約】
【課題】本発明は、スクリーン野球システム競技方法を提供するためのものである。
【解決手段】本発明は、（ａ）ゲーム運営部がユーザの個人等級を登録するステップ；（ｂ）前記ユーザのうち、守備側により投球球質が選択されて投球情報がピッチングマシン部に転送されるステップ；（ｃ）前記ユーザのうち、攻撃側の打者がピッチングペダルを踏めば、スクリーンに投球動作がディスプレイされ、前記ピッチングマシン部が前記選択された球質によって投球を始めるステップ；（ｄ）打撃感知部が前記打者の打撃を感知して打撃感知データを前記ゲーム運営部に転送するステップ；（ｅ）前記ゲーム運営部が前記打撃感知データの印加を受けて打球軌跡に変換し、前記打球軌跡に沿ってシミュレーションして前記スクリーンに映像をディスプレイするステップ；（ｆ）競技撮影部が前記打者の打撃映像を撮影して前記ゲーム運営部に転送するステップ；（ｇ）オンライン通信部が前記ディスプレイされるシミュレーション情報及び前記打撃映像データの伝達を受けてゲームサーバー及びデータベースに転送するステップ；及び（ｈ）前記データベースが前記打撃映像及び競技情報データを格納してユーザ育成プログラム及びキャラクター育成プログラムに活用するステップ；を含むことを特徴とする。
【選択図】図２【図１】
0005965089.tif 000002
【図２】
0005965089.tif 000003
【図３Ａ】
0005965089.tif 000004
【図３Ｂ】
0005965089.tif 000005
【図４】
0005965089.tif 000006
【図５Ａ】
0005965089.tif 000007
【図５Ｂ】
0005965089.tif 000008
【図５Ｃ】
0005965089.tif 000009
【図５Ｄ】
0005965089.tif 000010
【図６】
0005965089.tif 000011
【図７Ａ】
0005965089.tif 000012
【図７Ｂ】
0005965089.tif 000013
【図７Ｃ】
0005965089.tif 000014
【図８】
0005965089.tif 000015
【図９Ａ】
0005965089.tif 000016
【図９Ｂ】
0005965089.tif 000017
【図１０】
0005965089.tif 000018